(57)【特許請求の範囲】
【請求項１】
ねじ又は複数の周溝が形成された棒状のスタッドを受入れるスタッド受入穴が形成された基部を有し、該基部には、スタッドのねじ又は周溝に係止する係止爪が設けられたスタッド係止具において、
前記基部には、係止爪とスタッドの間にスタッドの側面方向から進入して係止爪の係止舌片とスタッドとの係合を解除する係合解除片が一体的に設けられており、
前記係止爪は、前記基部から延びる撓み片と、該撓み片に形成された係止舌片とから成り、前記係合解除片は、前記撓み片に係合する突出部を備えており、該突出部は、前記係止爪と前記スタッドとの間にスタッドの側面方向から進入するにつれて前記係止舌片をスタッド側面から遠ざかるように前記撓み片を撓めるくさび形状に形成されている
ことを特徴とするスタッド係止具。
【請求項２】
請求項１に記載のスタッド係止具において、前記係止爪は、対向して一対設けられており、各係止爪は、基部から延びる撓み片と、該撓み片に形成された係止舌片とから成り、前記係合解除片は、撓み片に係合する一対の突出部を備えており、各突出部は、係止爪とスタッドとの間にスタッドの側面方向から進入するにつれて各係止舌片をスタッド側面から遠ざかるように前記撓み片を撓めるくさび形状に形成されていることを特徴とするスタッド係止具。
【請求項３】
請求項２に記載のスタッド係止具において、各係止爪の撓み片は、係止舌片より先端に延びる延長部を有し、該延長部は、前記係合解除片の突出部と対向する位置にあり、各突出部との係合によって各係止舌片がスタッド側面から遠ざかるように撓み片を撓めることを特徴とするスタッド係止具。
【請求項４】
請求項３に記載のスタッド係止具において、前記係合解除片は、前記突出部が前記係止爪の延長部に対向する位置にあるように、前記基部から一体的に延び出るアームを有し、該アームと基部との連結部分に、前記突出部が前記延長部に離接できるように該アームを旋回可能に保持するヒンジが設けられていることを特徴とするスタッド係止具。
【請求項５】
請求項４に記載のスタッド係止具において、前記突出部のあるアーム部分は、指等によって突出部を撓み片の延長部とスタッドとの間に進入させるのに適した指掛け部として形成されていることを特徴とするスタッド係止具。
【発明の詳細な説明】
【０００１】
【産業上の利用分野】
本発明は、自動車の車体等のパネルに立設されたねじ又は複数の周溝が形成された棒状のスタッドを受入れて係止するスタッド係止具に関し、特に、スタッドに係止したスタッド係止具の係止を解除できるスタッド係止具に関する。
【０００２】
【従来の技術】
ねじが形成されたスタッドに係止して、ねじスタッドが固定された車体等のパネルに他のパネル等を取付けるスタッド係止具は周知である。また、スタッド係止具のねじスタッドへの係止を解除して、スタッドから取り外しできるスタッド係止具も、例えば、特開昭６２−９３５０８号公報によって公知である。この公報には、スタッド係止具とスタッドとの間に円筒状の係止解除部材が設けられ、スタッドへの押し込みによって係止したスタッド係止具をスタッドとの係止から解除するには、スタッド係止具を更にスタッドヘ押し込む。この押し込みによって、円筒状の係止解除部材が、スタッド係止具の係止爪とスタッドとの間にスタッドの軸線方向に入って、係止爪の係止舌片の係合を離脱させる。次に、反対方向のスタッドから引上げる操作によって、スタッド係止具をスタッドから抜き出してスタッド係止具を取り外している。実開昭６３−１４２４１２号公報には、スタッド係止部本体の上部にスタッドの軸線方向に押し込むことのできる円筒状のキャップを配置し、スタッド係止具をスタッドへ係合した後、キャップを押し込むとスタッド係止部本体の係止爪の係止舌片がスタッドから離れて、係止を解除するスタッド係止具が開示されている。このスタッド係止具においても、スタッド係止具を取り外すには、キャップの押し込み方向とは反対のスタッドから引上げる操作によって、スタッド係止具をスタッドから抜き出してスタッド係止具を取り外している。
【０００３】
【発明が解決しようとする課題】
上記した従来のスタッド係止具において、スタッド係止具の係止爪とスタッドとの係合の解除は、スタッド係止具又はキャップをスタッドの軸線方向に押し込む操作だけで済むので簡単である。しかし、スタッド係止具の取り外しには、スタッド係止具又はキャップをスタッドの軸線方向に押し込んだ後、スタッド係止具を押し込みとは反対の方向に引上げるという、少なくとも２回の不連続の操作が必要になり、手間がかかる。また、スタッド係止具の再使用において、円筒状の係止解除部材や円筒状のキャップがスタッド係止具に嵌合しているため、その分離作業を必要としている。上記公報の外に、実公平３−１４５７８号公報、実開昭６３−１７２２２０号公報、実開昭６４−２５２０号公報、実開平２−６６７１２号公報、実開平７−１８０８８号公報に、係合解除可能な係止具が開示されているが、これらの係止具にも、片手作業で行うには改良の余地がある。
【０００４】
従って、本発明の目的は、スタッドとの係合の解除操作とスタッドから取り外す操作とが連続動作によって片手で簡単に行えるスタッド係止具を提供することにある。
【０００５】
【課題を解決するための手段】
かかる目的を達成するため、本発明によれば、ねじ又は複数の周溝が形成された棒状のスタッドを受入れるスタッド受入穴が形成された基部を有し、該基部には、スタッドのねじ又は周溝に係止する係止爪が設けられたスタッド係止具であって、基部には、係止爪とスタッドの間にスタッドの側面方向から進入して係止爪の係止舌片とスタッドとの係合を解除する係合解除片が一体的に設けられており、係止爪は、基部から延びる撓み片と、撓み片に形成された係止舌片とから成り、係合解除片は、撓み片に係合する突出部を備えており、突出部は、係止爪とスタッドとの間にスタッドの側面方向から進入するにつれて係止舌片をスタッド側面から遠ざかるように前記撓み片を撓めるくさび形状に形成されていることを特徴とするスタッド係止具が提供される。
【０００６】
【作用】
スタッド係止具の基部には、係合解除片が一体的に設けられているので、係合解除片も含めてスタッド係止具が一部品となって取扱いや管理が容易になり、また、係合解除片は係止爪とスタッドの間にスタッドの側面方向から進入して係止爪の係止舌片とスタッドとの係合を解除するので、スタッド係止具の取り外しのためのスタッドからの引上げ操作を、係合解除動作に連続して行うことができ、係合解除とスタッド係止具の取り外しとが１回の連続操作で行える。そのため、作業者は、片手でその係合解除とスタッド係止具の取り外しとを簡単に行うことができる。
【０００７】
本発明においては、係止爪は、対向して一対設けられており、各係止爪は、基部から延びる撓み片と、該撓み片に形成された係止舌片とから成り、係合解除片は、撓み片に係合する一対の突出部を備えており、各突出部は、係止爪とスタッドとの間にスタッドの側面方向から進入するにつれて各係止舌片をスタッド側面から遠ざかるように撓み片を撓めるくさび形状に形成されている。また、各係止爪の撓み片は、係止舌片より先端に延びる延長部を有し、該延長部は、係合解除片の突出部と対向する位置にあり、各突出部との係合によって各係止舌片がスタッド側面から遠ざかるように撓み片を撓める。更に、係合解除片は、突出部が係止爪の延長部に対向する位置にあるように、基部から一体的に延び出るアームを有し、該アームと基部との連結部分に、突出部が撓み片延長部に離接できるように該アームを旋回可能に保持するヒンジが設けられている。そして、突出部のあるアーム部分は、指等によって突出部を撓み片延長部とスタッドとの間に進入させるのに適した指掛け部として形成されている。
【０００８】
【発明の実施の形態】
以下、本発明の実施例について図面を参照しながら説明する。図１〜図７に本発明の実施例となるスタッド係止具１の詳細を示しており、図８〜図１０に、スタッド係止具１の解除の操作を示している。スタッド係止具１は、パネルに立設された、ねじ又は複数の周溝が形成された棒状のスタッドを受入れるスタッド受入穴が形成された基部２と、基部２から側方に一体的に延び且つ開口した部分への押し込みによりパイプを保持するパイプ保持部３とがプラスチックで一体成形されている。パイプ保持部３は、一方が開口したほぼＵ字形のグリップ部５、６に形成され、その開口端がやや狭くなっていて、押し込まれたパイプを抜けないようにしている。パイプ保持部３は、公知のものであり、これ以上の説明を省略する。なお、本発明に係るスタッド係止具１は、図示のパイプ保持部３を有するものに限るつもりはない。例えば、パイプ保持部を、他の部材の保持部として形成してもよく、ワイヤハーネス等を保持するバンド結束部であってもよく、更には、基部２だけしかないものであってもよい。
【０００９】
基部２は、底部７と支柱部９と上部１０とから成り、図の正面図でみてほぼＣの字形状を成すように形成されていて、支柱部９以外の側面が大きく開放するように形成されている。基部２の底部７と上部１０とには、スタッドを受入れるスタッド受入穴１１と１３がそれぞれ形成されており、基部２の前記開放部分を含めて、基部２にスタッドが貫通するように受入れることができる。また、基部２には、前記の開放部分に、受入れられたスタッドのねじ溝又は周溝に係合する一対の係止爪１４及び１５が対向して形成されている。図６及び図７には、係止爪１４、１５の詳細が示されている。係止爪１４（又は１５）は、基部２から延びる撓み片１７と、撓み片１７に形成された係止舌片１８とから成る。そして、係止爪１４の撓み片１７は、係止舌片１８より先端に延びる延長部１９を有し、係止爪１５の撓み片１７は、係止舌片１８より先端に延びる延長部２１を有する。これらの延長部１９、２１は、係止舌片１８がスタッドのねじ溝又は周溝から遠ざかるように撓み片１７を撓めるの用いられる。
【００１０】
基部２の底部７には、係止爪１４、１５とスタッドの間にスタッドの側面方向（例えば図２の左側）から進入して係止爪１４、１５の係止舌片１８とスタッドとの係合を解除するように撓み片１７を撓める係合解除片２２が、一体成形されている。係合解除片２２は、撓み片１７の延長部１９、２１に係合する一対の突出部２３、２３を備えている。各突出部２３は、係止爪１４、１５の撓み片１７の延長部１９、２１とスタッドとの間にスタッドの側面方向から進入するにつれて各係止舌片１８をスタッド側面から遠ざかるように撓み片１７を撓めるくさび形状に形成されている。係止解除片２２には、突出部２３が撓み片延長部１９、２１に対向する位置にあるように、底部７から一体的に延び出るアーム２５が形成されている。アーム２５と底部７の連結部分には、突出部２３が延長部１９、１９に離接できるように、アーム２５を旋回可能に保持するヒンジ２６が設けられている。突出部２３のあるアーム２５の背面部分は、指等によって突出部２３を延長部１９、２１とスタッドとの間に進入させるのに適した指掛け部２７として形成されている。
【００１１】
係止爪１４、１５の撓み片延長部１９、２１は、係合解除片２２の突出部２３と対向する位置にある。図６に図示のように、撓み片延長部１９、２１は、各突出部２３に向かう方向に細長く形成されており、突出部２３がスタッドの側面方向から延長部１９、２１に進入するにつれて各係止舌片１８をスタッド側面から遠ざかるように撓み片１７を撓めるくさび形状に形成されている。なお、延長部１９、２１は、スタッドの軸線方向の長さを違えており（図７参照）、これによって、成形の型割りの数を少なくできる。また、底部７の係止爪１４及び１５に隣接する部分には、受入れたスタッドの挿通方向を規制して上部１０のスタッド受入穴１３に導くためのガイド２９が立設してある。更に、支柱部９は、図６に示すように、断面においてＴ字形状に形成されて、支柱部の強度を維持しプラスチック材料の節約を図っている。
【００１２】
図８〜図１０を用いて、本発明に係るスタッド係止具１を、ねじが形成されたスタッド３０から取り外す操作を説明する。図８において、パネル３１にねじスタッド３０が立設されており、スタッド係止具１は、スタッド３０を受入れるように基部２を押し込むことで、スタッド３０に、ひいてはパネル３１に取付けられる。取り外し操作において、作業者は、その指３３及び３４の一方を、係合解除片２２のアーム２５にあてがい、他方を基部２の支柱部９の指掛け部３５にあてがい、係合解除片２２をヒンジ２６を中心に図８の右側に旋回させる。この操作によって、図９に示すように、係止爪１４、１５の撓み片１７の延長部１９、２１とスタッド３０との間に、係合解除片２２の突出部２３がスタッド３０の側面方向から進入する。これによって、図１０に図示のように、係止爪１４、１５の撓み片１７がスタッド３０から離れるように撓められ、係止舌片１８とスタッド３０との係合が解除される。この係合の解除により、作業者は、図８の係合解除片２２のアーム２５と支柱部９をつかんだまま、スタッド係止具１をスタッド３０から引上げることができ、そのまま、スタッド係止具１をスタッド３０から取り外すことができる。従って、作業者は、支柱部９の指掛け部３５と係合解除片２２のアーム２５に指を掛けてそのアーム２５をスタッド３０の側に引き寄せて係合を解除し、そのまま連続してスタッド係止具１を引上げることによってスタッド３０から取り外しでき、片手で簡単に取り外し操作ができる。なお、スタッド係止具１は、図示のねじスタッドに限らず、ボルトをパネル等に立設したものや、ねじではなく複数の周溝が形成された棒状のスタッドであってもよい。
【００１３】
【発明の効果】
本発明によれば、スタッド係止具の基部には、係合解除片が一体的に設けられているので、係合解除片も含めてスタッド係止具が一部品となって取扱いや管理が容易になり、また、係合解除片は係止爪とスタッドの間にスタッドの側面方向から進入して係止爪の係止舌片とスタッドとの係合を解除するので、スタッド係止具の取り外しのためのスタッドからの引上げ操作を、係合解除動作に連続して行うことができ、係合解除とスタッド係止具の取り外しとが１回の連続操作で行える。そのため、作業者は、片手でその係合解除とスタッド係止具の取り外しとを簡単に行うことができる。
【図面の簡単な説明】
【図１】本発明の実施例に係るスタッド係止具の平面図である。
【図２】図１のスタッド係止具の正面図である。
【図３】図１のスタッド係止具の底面図である。
【図４】図２のスタッド係止具の左側面図である。
【図５】図１のスタッド係止具のＡ−Ａ線断面図である。
【図６】図２のスタッド係止具のＢ−Ｂ線断面図である。
【図７】図２のスタッド係止具のＣ−Ｃ線断面図である。
【図８】図２のスタッド係止具をスタッドから取り外す操作を示す正面図である。
【図９】図８のスタッド係止具のＤ−Ｄ線断面図である。
【図１０】図８のスタッド係止具のＥ−Ｅ線断面図である。
【符号の説明】
１  スタッド係止具
２  基部
３  パイプ保持部
５、６  パイプのグリップ部
７  基部の底部
９  基部の支柱部
１０  基部の上部
１１、１３  スタッド受入穴
１４、１５  係止爪
１７  係止爪の撓み片
１８  係止爪の係止舌片
１９、２１  撓み片の延長部
２２  係合解除片
２３  係合解除片の突出部
２５  係合解除片のアーム
２６  係合解除片のヒンジ
２７  アームの指掛け部
３０  スタッド
３１  パネル
【図１】
0003984350.tif 000002
【図２】
0003984350.tif 000003
【図３】
0003984350.tif 000004
【図４】
0003984350.tif 000005
【図５】
0003984350.tif 000006
【図６】
0003984350.tif 000007
【図７】
0003984350.tif 000008
【図８】
0003984350.tif 000009
【図９】
0003984350.tif 000010
【図１０】
0003984350.tif 000011